(57)【特許請求の範囲】
【請求項１】
第１装置において、該第１装置からのアップリンク制御チャネル送信を、ダウンリンク制御チャネル上でステーションから該第１装置において受信される電力制御情報に基づいて制御することを含み、
前記第１装置からのアップリンク制御チャネル送信は、各々、該第１装置においてデータチャネル上で受信された各々のデータパケットの確認であり、各々の確認送信に対する各々の電力制御情報は、前記ダウンリンク制御チャネル上で、該第１装置において、該各々の確認に関連するデータパケットと同じ送信時間間隔中に受信される、方法。
【請求項２】
前記データチャネルは、前記第１装置、及び前記ステーションと通信する少なくとも１つの他の装置によって共用される共用データチャネルであって、
前記ダウンリンク制御チャネルは、前記第１装置、及び前記ステーションと通信する少なくとも１つの他の装置によって共用される共用制御チャネルである、
請求項１に記載の方法。
【請求項３】
前記共用制御チャネルはまた前記ステーションと通信する少なくとも一つの他の装置へ情報を提供し、該共用制御チャネルは、如何なる１つの送信時間間隔中にも、同時に一つの装置によってのみ使用される、請求項２に記載の方法。
【請求項４】
第１装置からのアップリンク制御チャネル送信を、ダウンリンク制御チャネル上でステーションから受信される電力制御情報に基づいて制御するよう構成され、
前記第１装置からのアップリンク制御チャネル送信は、各々、該第１装置においてデータチャネル上で受信された各々のデータパケットの確認であり、各々の確認に対する各々の電力制御情報は、前記ダウンリンク制御チャネル上で、該第１装置において、該各々の確認に関連する各々のデータパケットと同じ送信時間間隔中に受信される、機器。
【請求項５】
請求項４に記載の機器であって、
前記データチャネルは、前記第１装置、及び前記ステーションと通信する少なくとも１つの他の装置によって共用される共用データチャネルであって、
前記ダウンリンク制御チャネルは、前記第１装置、及び前記ステーションと通信する少なくとも１つの他の装置によって共用される共用制御チャネルである、
機器。
【請求項６】
前記共用制御チャネルはまた前記ステーションと通信する少なくとも一つの他の装置へ情報を提供し、該共用制御チャネルは、如何なる１つの送信時間間隔中にも、同時に一つの装置によってのみ使用される、請求項５に記載の機器。
【請求項７】
アップリンク制御チャネル上での、第１装置からステーションへの、データチャネル上で該第１装置において受信されたデータパケットの確認送信を該第１装置において制御するために該第１装置において使用される電力制御情報を、該ステーションからダウンリンク制御チャネル上で送信すること
を含み、
各々の確認に対する各々の電力制御情報は、前記ダウンリンク制御チャネル上で、前記第１装置において、該各々の確認に関連する各々のデータパケットと同じ送信時間間隔中に受信される、方法。
【請求項８】
前記データチャネルは、前記第１装置、及び前記ステーションと通信する少なくとも１つの他の装置によって共用される共用データチャネルであって、
前記ダウンリンク制御チャネルは、前記第１装置、及び前記ステーションと通信する少なくとも１つの他の装置によって共用される共用制御チャネルである、
請求項７に記載の方法。
【請求項９】
前記共用制御チャネルはまた、前記ステーションと通信する少なくとも一つの他の装置へ情報を提供するために使用され、前記共用制御チャネルは、如何なる１つの送信時間間隔中にも、同時に一つの装置によってのみ使用される、請求項８に記載の方法。
【請求項１０】
アップリンク制御チャネル上での、第１装置からステーションへの、データチャネル上で該第１装置において受信されたデータパケットの確認送信を制御するために該第１装置において使用される電力制御情報を、該ステーションから該第１装置へとダウンリンク制御チャネル上で送信するよう構成され、
各々の確認に対する各々の電力制御情報は、前記ダウンリンク制御チャネル上で、前記第１装置において、該各々の確認に関連する各々のデータパケットと同じ送信時間間隔中に受信される、機器。
【請求項１１】
請求項１０に記載の機器であって、
前記データチャネルは、前記第１装置、及び前記ステーションと通信する少なくとも１つの他の装置によって共用される共用データチャネルであって、
前記ダウンリンク制御チャネルは、前記第１装置、及び前記ステーションと通信する少なくとも１つの他の装置によって共用される共用制御チャネルである、
機器。
【請求項１２】
前記共用制御チャネルはまた前記ステーションと通信する少なくとも一つの他の装置へ情報を提供するために使用され、前記共用制御チャネルは、如何なる１つの送信時間間隔中にも、同時に一つの装置によってのみ使用される、請求項１１に記載の機器。
【発明の詳細な説明】
【技術分野】
【０００１】
本発明は、通信システムに係り、より詳細には、通信システムのステーション間の送信に係るが、これに限定されない。
【背景技術】
【０００２】
２つ以上のステーション間にワイヤレス通信を与えるための種々の異なる通信システムが知られている。通信ネットワークのステーションとユーザ装置との間にワイヤレス通信媒体が設けられる。又、２つのユーザ装置間又は通信ネットワークの２つのステーション間にもワイヤレス通信媒体が設けられる。
【０００３】
ワイヤレス通信システムは、音声通信やデータ通信のような種々の形式の通信に使用される。ワイヤレスシステムは、回路交換又はパケット交換或いはその両方を提供する。パケット交換サービスでは、データ（例えば、スピーチデータ、ユーザデータ、ビデオデータ又は他のデータ）がデータパケットにおいて通信される。ワイヤレス通信における開発は、実質的に高いデータレートのデータ、即ちいわゆる高速データ（ＨＳＤ）を搬送できるシステムを導いた。
【０００４】
ワイヤレス通信システムの一例は、セルラー通信システムである。このセルラーシステムでは、ユーザ装置は、セルと称されるアクセスエンティティを経て通信ネットワークにアクセスし、従って、セルラーシステムという名前になる。当業者は、セルラーネットワークの基本的な動作原理及び要素を知っており、それ故、ここでは詳細に説明しない。セルとは、ユーザ装置（ＵＥ）にサービスする１つ又は多数のベースステーション（ＢＳ）によりそれらの間のワイヤレスインターフェイスを経てサービスされる無線アクセスエンティティとして定義できることに注意すれば充分である。セルラーネットワークは、例えば、ＣＤＭＡ（コード分割マルチアクセス）、ＷＣＤＭＡ（ワイドバンドＣＤＭＡ）、ＴＤＭＡ（時分割マルチアクセス）、ＦＤＭＡ（周波数分割マルチアクセス）、或いはＳＤＭＡ（スペース分割マルチアクセス）、及びその混成体のようなアクセスシステムをベースとするネットワークを含む。
【０００５】
ワイヤレス通信システムには、通常、無線リソース管理ファンクションが設けられる。無線リソース管理の特徴は、ベースステーションとユーザ装置との間の通信中に、ベース（トランシーバ）ステーションと、そのベースステーションに関連したユーザ装置との間の電力レベルのようなリソースの利用を連続的に調整できるというものである。無線リソースの利用は、ベースステーションからユーザ装置に向って生じる送信（ダウンリンク）及びユーザ装置からベースステーションに向って生じる送信（アップリンク）に対して制御される。ベースステーションとユーザ装置との間の送信に対し種々の状態において充分なクオリティ及び信頼性を与える一方、他の装置への通信により生じる干渉及び電力消費を減少するために、調整が行われる。
【０００６】
ユーザ装置は、多数のベースステーションと同時に通信することができる。図１は、ユーザ装置ＭＳ１が２つのベースステーションＢＳ１、ＢＳ２と通信する場合の一例を示す。複数のベースステーションとの同時通信は、例えば、ユーザ装置があるベースステーションから別のベースステーションへハンドオーバーされるべきときに生じる。
【０００７】
ハンドオーバーは、いわゆるソフトハンドオーバー手順により実行される。例えば、ＣＤＭＡでは、ソフトハンドオーバーを使用して、ユーザ装置により生じる干渉が減少される。ソフトハンドオーバーの間に、ユーザ装置の送信電力は、通常、最低の送信電力を要求するベースステーションからの電力制御コマンドに基づいて調整される。ソフトハンドオーバーに含まれる各ベースステーションは、所与のユーザ装置からの信号のクオリティを測定し、そしてその電力制御コマンドをユーザ装置へ送信して、電力アップ又はダウンを求める。ユーザ装置は、ソフトハンドオーバーに含まれた全てのベースステーションが更に電力を要求する場合だけその送信電力を増加する。
【０００８】
ユーザ装置は、制御メッセージ、ユーザデータ等々のデータをベースステーションから受け取る。ユーザ装置は、２つ以上のベースステーションからデータを受け取ることができる。これらデータ送信の幾つかは、ユーザ装置によって応答されねばならない。その応答は、例えば、ユーザ装置がメッセージを受信し及び／又はユーザ装置がメッセージに応答してタスクを実行したという確認であり、及び／又はベースステーションにより要求される問合せに対する応答及び／又は他のフィードバックである。以下、第三世代ワイドバンドコード分割マルチアクセス（３Ｇ  ＷＣＤＭＡ）システムにおける確認について詳細に説明する。
【０００９】
ＷＣＤＭＡベースのシステムでは、上記高速データは、例えば、いわゆる高速ダウンリンクパケットアクセス（ＨＳＤＰＡ）技術によりイネーブルされる。この高速ダウンリンクパケットアクセス（ＨＳＤＰＡ）は、高速混成自動繰り返し要求（ＨＡＲＱ）、適応コード及び変調（ＡＭＣ）、及び／又は高速セル選択（ＦＣＳ）のようなファンクションを含む。これらのファンクションは、当業者に知られており、従って、ここでは詳細に説明しない。ＨＳＰＤＡのこれら及び他のファンクションの詳細な説明は、例えば、「Physical Layer Aspects of UTRA High Speed Downlink Packet Access」と題する第三世代パートナーシッププロジェクトテクニカルレポートＮｏ．３Ｇ  ＴＲ２５．８４８リリース２０００（非特許文献１）に見ることができる。ＨＳＤＰＡは、ＷＣＤＭＡに使用するように指定されているが、同様の基本的な原理を他のアクセス技術にも適用できることが明らかであろう。
【００１０】
ここでは、高速ダウンリンクパケットアクセス（ＨＳＤＰＡ）において、高速ダウンリンク共用チャンネル（ＨＳ−ＤＳＣＨ）を経てデータを受信する各ユーザ装置には、関連専用チャンネル（ＤＣＨ）も割り当てられると仮定する。この専用チャンネルは、物理層における専用物理チャンネル（ＤＰＣＨ）にマップされる。このＤＰＣＨは、通常、アップリンク及びダウンリンクの両方において専用物理的データチャンネル（ＤＰＤＣＨ）及び専用物理的制御チャンネル（ＤＰＣＣＨ）に分割される。電力制御コマンド、搬送フォーマット情報及び専用パイロット記号のようなデータは、ＤＰＣＣＨを経て送信される。又、ダイバーシティフィードバック情報のような情報は、アップリンクにおいてＤＰＣＣＨを経て送信される。ＨＳ−ＤＳＣＨは、物理層において１つ又は多数の高速物理的ダウンリンク共用チャンネル（ＨＳ−ＰＤＳＣＨ）へとマップされる。
【００１１】
それに関連した専用チャンネルが、通常、ダウンリンク及びアップリンクの両方に設けられる。専用チャンネルは、通常、ＨＳＤＰＡ関連情報／シグナリング並びに他の専用データ、例えば、スピーチ及び制御データを搬送するのに使用される。ユーザ装置は、多数のベースステーションと同時に通信できる。例えば、ソフトハンドオーバーには、関連専用チャンネルが含まれる。
その関連専用チャンネルに加えて、ＨＳ−ＤＳＣＨは、共用制御チャンネル（ＳＣＣＨ）にも関連される。ＳＣＣＨは、ＨＳ−ＤＳＣＨ特有の情報／シグナリングを、ＨＳ−ＤＳＣＨを経てデータを受信するユーザへ搬送するのに使用できる。
【００１２】
現在の提案は、専用チャンネルを使用して、ＨＳ−ＤＳＣＨ及びＳＣＣＨに読み取られるべきデータがあることをユーザ装置に通知することである。即ち、所与の時間にデータを受信するユーザだけが、専用チャンネルを経て指示を受け取る。専用チャンネルは、共用チャンネルを指すのでポインタチャンネルと称することができる。又、専用チャンネルは、変調及びコード機構、電力レベル、及び共用チャンネルに使用される同様のパラメータに関する情報も含むことができる。この情報も、共用チャンネルを経て送信することができる。一方、共用制御チャンネルは、共用データチャンネル（ＨＳ−ＤＳＣＨ）を経て送信されるデータに特有の情報を搬送するのに使用される。この情報は、例えば、ＨＡＲＱのパケット番号等を含むことができる。共用制御チャンネルは、個別コードチャンネル（コード多重化）を経て送信することもできるし、又はＨＳ−ＰＤＳＣＨと同じコードチャンネル（時間多重化）を使用して送信することもできる。
【００１３】
専用チャンネルとは異なり、ＨＳ−ＤＳＣＨは、ソフトハンドオーバーには含まれないと仮定する。即ち、各ベースステーションは、それ自身の共用チャンネルを有すると仮定し、そしてユーザ装置は、一度に１つのベースステーションのみからデータを受信すると仮定する。いわゆる高速セル選択（ＦＣＳ）技術を使用して、１つのベースステーションから別のベースステーションへデータ送信を切り換えることができる。しかしながら、共用チャンネルは、電力制御を使用しない。むしろ、共用チャンネルは、固定又は半固定電力で送信されると提案される。「半固定」という語は、ここでは、電力が頻繁に変化しないことを意味する。電力は、例えば、セル特有のパラメータである。
【００１４】
現在提案されている構成では、高速ダウンリンク共用チャンネル（ＨＳ−ＤＳＣＨ）は、少なくとも受信側ステーションが共用チャンネルを経て受信するときのタイミングに関する情報をダウンリンクに搬送する専用チャンネルに関連付けされるように計画される。この関連専用チャンネルは、おそらく、他の情報も搬送する。アップリンクでは、この関連専用チャンネルは、例えば、高速ＨＡＲＱに必要な確認（ＡＣＫ）を搬送する。
【００１５】
本発明者は、これが、例えば、高速ＨＡＲＱ確認のアップリンク電力制御の状況において問題であると分かった。問題の状態は、特に、関連専用チャンネルがソフトハンドオーバーモードにあるときに生じる。ソフトハンドオーバーの間に、アップリンク電力は、アクティブな組のベースステーションの中で最良のクオリティのアップリンクに基づいて調整される。しかしながら、高速共用チャンネルのシグナリングは、別のベースステーションから送信することができる。ユーザ装置と上記他のベースステーションとの間の通信リンクは、上記最良のアップリンク接続よりクオリティが悪い。それにも拘らず、上記他のベースステーションは、ユーザ装置から確認のような応答を受信することを期待する。このアップリンク接続のクオリティは、最良のアップリンクより実質的にクオリティが低いので、応答が適切に受信されずドロップするか、又は全く受信されない危険性がある。
【００１６】
高速セル選択ファンクションを使用して、ある場合に、ユーザ装置に向う通信に考えられる最良のダウンリンクを使用することを保証することができる。しかしながら、最良のアップリンクを与えるベースステーションは、最良のダウンリンクを与えるベースステーションと異なってもよい。これは、例えば、高速フェージングやその他シグナリング条件の変化によるためである。これは、応答機能の非信頼性を高めることになる。
【先行技術文献】
【非特許文献】
【００１７】
【非特許文献１】「Physical Layer Aspects of UTRA High Speed Downlink Packet Access」，第三世代パートナーシッププロジェクトテクニカルレポートＮｏ．３Ｇ  ＴＲ２５．８４８リリース２０００
【発明の概要】
【発明が解決しようとする課題】
【００１８】
この問題を解決するための公知の提案は、例えば、繰り返しコードを使用することによるいわゆる強力コードを含む。この繰り返しコードでは、確認（ＡＣＫ）ビット（１つ又は複数）が数回繰り返される。しかしながら、これは、確認メッセージの正しい受信を保証したい場合にはエアインターフェイスに著しい追加負荷を招き及び／又は著しく多くの無線リソースを予約することになる。
【００１９】
別の公知提案は、確認（ＡＣＫ）送信のためのいわゆる固定電力オフセットである。これは、アップリンクのクオリティが最悪であっても確認が受け取られるよう確保するために全ての確認メッセージが増加電力又はある電力で送信されることを意味する。しかしながら、確認メッセージのための固定電力レベルは、実質的に貧弱なシグナリング条件の問題を完全に解決するものではない。従って、電力が充分に高くない状態が依然として生じる。一方、固定電力レベルが不必要に高いこともあり得る。従って、信頼性の問題に加えて、この解決策は、著しく高い電力がユーザ装置により使用されて、干渉や、不必要に高い電力消費を招くという点で欠点がある。
【課題を解決するための手段】
【００２０】
本発明の実施形態は、上述した問題の１つ又は多数に対処することに向けられる。
本発明の１つの態様によれば、第１ステーションと第２ステーションとの間で通信する方法において、第２ステーションが第１ステーションに向けていかに送信すべきかに関する情報を第１ステーションから第２ステーションへ通信し、そして上記情報が与えられない場合に第２ステーションが送信すべき仕方で送信するのではなく、第１ステーションからの上記情報に基づいて第２ステーションから送信するという段階を備えた方法が提供される。
【００２１】
特定の実施形態では、上記情報は、専用チャンネルを経て第１ステーションから第２ステーションへ送信される。
別の特定の実施形態では、上記情報は、第１ステーションから第２ステーションへ送信されるメッセージにおいて通信される。上記メッセージに対する応答が上記情報に基づいて第２ステーションから送信される。
第２ステーションは、上記情報を受信した後に上記情報に基づいて設定された送信電力で送信する。
【００２２】
第２ステーションは、送信を繰り返し、送信の回数は、上記情報に依存する。
上記情報は、オフセットパラメータを定義し、上記送信の電力レベルは、送信に対して上記オフセットパラメータにより指示された量だけシフトされる。
付加的なステップにおいて、第１ステーションと第２ステーションとの間のインターフェイスのクオリティが決定される。第２ステーションへ送信されるべき情報は、上記決定に基づいて第１ステーションにより定義される。
【００２３】
第２ステーションは、少なくとも１つの更に別のステーションと通信し、該更に別のステーションは、第２ステーションに制御命令を与える。第２ステーションは、上記少なくとも２つのステーション間のハンドオーバーに含まれる。第２ステーションは、ソフトハンドオーバーモードにある。
【００２４】
本発明の別の態様によれば、ステーションと、ワイヤレスインターフェイスを経て上記ステーションと通信するためのユーザ装置であって、少なくとも１つの送信パラメータを制御するユーザ装置と、上記ステーションへ送信するときにユーザ装置により使用される送信パラメータに関連した情報をユーザ装置に与えるための制御手段とを備え、ユーザ装置は、そのユーザ装置に上記情報が与えられない場合の送信パラメータではなく上記情報に基づく異なる送信パラメータで送信できるようにされた通信システムが提供される。
【００２５】
少なくとも１つの更に別のステーションが設けられ、この更に別のステーションは、ユーザ装置と通信するためのもので、ユーザ装置は、上記情報が与えられない限り、この更に別のステーションからの制御命令に従うように構成されるのが好ましい。
【００２６】
本発明の更に別の態様によれば、あるステーションから別のステーションへ通信されるべきメッセージを発生するための制御手段を備えた通信システム用のステーションにおいて、上記制御手段は、上記メッセージに応答するときに上記他のステーションから上記あるステーションへの通信を制御するのに使用するために上記他のステーションにより使用されるパラメータに関連した情報を上記他のステーションに与えるように構成されたステーションが提供される。
【００２７】
本発明の更に別の態様によれば、ワイヤレスインターフェイスを経て通信システムのステーションと通信するためのユーザ装置において、ステーションからメッセージを受信するための手段と、上記メッセージに対する応答を送信するための制御手段とを備え、上記ユーザ装置は、上記メッセージと共に受信された制御情報に基づいて上記応答を送信するようにされたユーザ装置が提供される。
【図面の簡単な説明】
【００２８】
【図１】本発明が実施されるアクセスシステムを示す図である。
【図２】本発明の実施形態の動作を示すフローチャートである。
【図３】特定の実施形態を示す図である。
【図４】２つのベースステーションからの電力制御コマンドを有する更に別の実施形態を示す図である。
【発明を実施するための形態】
【００２９】
本発明を良く理解するため、添付図面を参照して本発明を一例として詳細に説明する。
移動テレコミュニケーションシステムを参照して一実施形態を説明する。ここに例示する通信システムは、ＷＣＤＭＡ（ワイドバンドコード分割マルチアクセス）技術に基づいて動作する無線アクセス部分を備えている。ＷＣＤＭＡベースのシステムの特徴は、複数のユーザ装置が無線インターフェイスを経てセル内のベーストランシーバステーションと通信するのが許されることである（しかしながら、明瞭化のために、図１には１つのユーザ装置しか示されていない）。図１に示すように、ユーザ装置は、２つ以上のベースステーションと同時に無線通信することも許される。図１は、明瞭化のために、２つのベースステーションＢＳ１、ＢＳ２しか示していない。
【００３０】
ユーザ装置は、移動ステーションＭＳ１より成る。移動ステーションという語は、ある位置から別の位置へ移動することのできる移動ユーザ装置を指す。又、移動ステーションは、あるネットワークから別のネットワークへローミングすることもできる。但し、他のネットワークが、所与の移動ステーションに適用される規格に適合し且つ２つのネットワークのオペレータ間にローミング合意がある場合である。
【００３１】
ベースステーションＢＳ１、ＢＳ２の各々には、コントローラエンティティＢＣＥが設けられる。このコントローラエンティティは、ベースステーションと移動ステーションＭＳ１との間の通信に使用される電力レベルを測定し制御する等の種々のタスクを実行する。ベースステーションのコントローラエンティティに加えて、ベースステーションのオペレーションは、少なくとも１つの更に別のコントローラエンティティ、例えば、無線ネットワークコントローラＮＣによって制御されてもよい。その構成は、通常、ベースステーションに関連した種々の制御ファンクションがベースステーションのコントローラエンティティとネットワークコントローラエンティティとの間で分割されるようなものである。ネットワークのコントローラエンティティは、１つ又は多数のベースステーションを制御する。種々のネットワークコントローラエンティティが互いに接続されて、それらの間で通信を行う。
【００３２】
移動ステーションとベースステーションとの間の通信は、スピーチデータ、ビデオデータ又は他のデータのような何らかの種類のデータを含む。ベースステーション及び移動ステーションは、制御データも通信する。制御データは、マネージメントオペレーションに関連している。制御データは、種々の要求及び確認のようなメッセージを含む。
【００３３】
データは、その後のデータ又は無線フレームにおいて複数のデータ記号としてステーション間で送信される。データを搬送する信号は、可変データ記号送信レート（データ速度）で送信され、送信レートは、その後の送信フレームにおいて異なってもよい。データ記号は、異なるアクセス技術に基づいて送信されてもよい。例えば、ＣＤＭＡ（コード分割マルチアクセス）システムでは、各送信チャンネルに対して拡散コードで送信されるべきデータ記号を処理することによりデータが送信のためにエンコードされる。ＴＤＭＡ（時分割マルチアクセス）システムでは、異なるチャンネルに対して割り当てられた異なるタイムスロットにおいてデータが送信される。
【００３４】
移動ステーションＭＳ１とベースステーションＢＳ１及びＢＳ２との間の通信は、専用チャンネル、共用チャンネル等の異なる通信チャンネルを経て行われる。ＣＤＭＡのようなあるシステムでは、当業者に良く知られたやり方でスクランブルコードを使用することによりチャンネルが互いに区別される。
図１において、移動ステーションとベースステーションとの間の異なるシグナリング状態が、ステーション間の矢印の異なる巾で示されている。図示されたように、ベースステーションＢＳ１は、他のベースステーションＢＳ２よりも、移動ステーションＭＳ１とのアップリンクが弱いものである。これは、アップリンクの電力制御がベースステーションＢＳ２に従うことを意味する。しかしながら、図１に示すように、ベースステーションＢＳ１からのダウンリンクは、ベースステーションＢＳ２からのダウンリンクより強力である。
【００３５】
図１の各ベースステーションは、接続に関連する１つ以上のパラメータを測定するようにイネーブルされる。このパラメータは、アップリンクにおける電力レベル又は信号対干渉（ＳＩＲ）レベルのようなクオリティパラメータである。即ち、各ベースステーションＢＳ１、ＢＳ２が移動ステーションＭＳ１から受信するところの電力レベル又はＳＩＲレベルは、各ベースステーションによって分かる。
【００３６】
アクセスネットワークにおける電力制御メカニズムは、通常、移動ステーションＭＳ１が、「最強」のベースステーション、例えば、最良のクオリティパラメータをもつＭＳ１により送信された信号を受信するベースステーションＢＳ２から受信された電力コマンドに従うように構成される。従って、移動ステーションＭＳ１の送信電力は、他のベースステーションＢＳ１が更なる送信電力を求め続けている場合でも適宜調整される。これは、移動ステーションＭＳ１とソフトハンドオーバー状態にある全てのベースステーションが更なる電力を求める場合に、移動ステーションＭＳ１しか送信電力を増加しないからである。
【００３７】
以下の例では、通常のオペレーションにおいて、移動ステーションＭＳ１は、ベースステーションＢＳ２から受信した電力コマンドに基づいてその送信電力を調整すると仮定する。電力調整メカニズムは、いわゆるクオリティターゲット又は電力スレッシュホールド値の使用に基づいて動作する。接続のクオリティがターゲット値より低い場合には、移動ステーションＭＳ１は、送信電力を増加するように求め、そしてクオリティがターゲットより高い場合には、電力を減少するように求められる。
【００３８】
接続クオリティターゲットは、例えば、いわゆるＥｂ／Ｎｏ（信号エネルギー／ノイズ）又はＳＩＲ（信号対干渉比）又は希望の信号レベルターゲット、或いは２つのステーション間の接続に対して推定できるクオリティ尺度を示す同様のパラメータにより通知することができる。
接続のクオリティは、ターゲット値に基づいて制御される。接続のクオリティに影響するいずれの接続パラメータも、ターゲットの変化に従わねばならない。ほとんどの場合に、クオリティターゲット値を満足するように送信電力が増加／減少されれば充分である。考えられる閉ループ電力制御メカニズムの詳細な説明は、例えば、３ＧＰＰ（第三世代パートナーシッププロジェクト）技術仕様書第ＴＳ２５．２１４号「Physical layer procedure (FDD)」に見ることができる。
【００３９】
閉ループ電力制御メカニズムに加えて、ＣＤＭＡシステムは、外部ループ電力制御メカニズムも含むことができる。これは、他のクオリティターゲットパラメータ、例えば、ビットエラー率（ＢＥＲ）、又はフレームエラー率（ＦＥＲ）、或いは接続が満足しなければならない他の同様のクオリティターゲットに基づいて、電力又はＳＩＲターゲットを調整することができる。
【００４０】
この実施形態では、第１ステーションがデータ又は要求或いは問合せを第２ステーションへ送信する。この送信を受け取った後に、第２ステーションは、第１ステーションへ応答を返送する。信頼性を改善し及び／又はリソースの使用を最適化するために、応答に対する少なくとも１つのパラメータに関連した情報が、第１ステーションから第２ステーションへシグナリングされる。このパラメータは、例えば、応答の所要電力レベル、及び／又は応答を送信すべき回数、等々に関連している。応答シグナリングは、次いで、受け取った情報に基づいて実行される。
【００４１】
図１の例では、第１ステーションがベースステーションＢＳ１であり、第２ステーションが移動ステーションＭＳ１である。例えば、ベースステーションＢＳ１が移動ステーションＭＳ１にチャンネルを割り当て、そして高速データ共用チャンネル（ＨＳ−ＤＳＣＨ）を経てそこにデータを送信するときには、ベースステーションＢＳ１は、移動ステーションが確認（ＡＣＫ）を返送するのを期待する。
【００４２】
ベースステーションＢＳ１は、応答に必要とされる電力レベルに関して関連制御チャンネル（専用又は共用）を経て情報を移動ステーションに与える。好ましい実施形態では、この情報は、移動ステーションＭＳ１にオフセット値を与える。このオフセット値は、ベースステーションＢＳ２との最良のアップリンクにおいて送信に使用される電力レベルに対する電力の差を示す。ベースステーションＢＳ１は、移動ステーションＭＳ１からの送信に関連した１つ以上の測定に基づいて移動ステーションからの信頼性ある確認送信のために必要とされるオフセットを決定する。電力は、ベースステーションＢＳ１において確認をデコードするための所定の信頼性レベルが得られるように決定される。
【００４３】
移動ステーションＭＳ１には、適当な電力制御エンティティＰＣが与えられる。それ自体知られたように、電力制御エンティティは、ベースステーションＢＳ１から受け取られた情報に基づいて応答送信電力レベルの調整を可能にする特徴を組み込むことができる。即ち、移動ステーションの電力制御エンティティは、最良のベースステーションＢＳ２との通信に使用されるものとは異なる電力レベルで応答送信を行う必要があるという判断をし、そしてそれに応じて送信を制御することができる。
【００４４】
確認メッセージ（ＡＣＫ）は、専用チャンネルを経てベースステーションＢＳ１へ返送される。専用チャンネルは、確認が送信されない場合でも常に「オン」である。これは、閉ループ電力制御を実行状態に保持するためである。アクティブなベースステーションＢＳ１は、全体的な電力制御の目的でこの専用チャンネルの信号対干渉比（ＳＩＲ）のようなクオリティパラメータを測定することができる。これは、例えば、移動ステーションにより送信されるいわゆるパイロットビットに基づいて行うことができる。従って、ベースステーションＢＳ１は、必要な電力オフセットを計算することができる。電力オフセットの必要性は、確認送信のためにどれほどの電力が必要とされるかを移動ステーションＭＳ１に通知するためのダウンリンクデータパケットと共に、ベースステーションＢＳ１から移動ステーションＭＳ１へシグナリングされる。
【００４５】
ユーザ装置ＭＳ１に対する必要な電力オフセットを通知するためにベースステーションＢＳ１からのダウンリンク送信に新たなシグナリングビットが追加される。これらのビットは、例えば、共用制御チャンネルを経て送信される。というのは、ユーザ装置、又はダウンリンク共用データチャンネルを経て受信しているユーザ装置だけが、確認ＡＣＫを送信すればよいからである。即ち、この情報は、常に必要とされるのではなく、確認すべきデータパケットがあるときだけ必要とされる。或いは又、ベースステーションは、専用の制御チャンネル又は専用のデータチャンネルを経てユーザ装置へこれらのビットを送信する。
【００４６】
電力制御は、送信がスロットで行われるアクセス技術ではスロットごとに行われてもよい。送信は、例えば、時間に基づいて、又は拡散コードにより、スロットに分割することができる。移動ステーションＭＳ１は、応答に割り当てられたスロット（１つ又は多数）に対して異なる電力レベルの使用を必要とする情報が移動ステーションに与えられない限り、「通常」の電力制御メカニズムに基づいてスロットに対して電力を指定する。
【００４７】
簡単なケースでは、上記情報を与えるのに１ビットで充分である。例えば、「０」は、５ｄＢのオフセットが必要であることを指示し、そして「１」は、１０ｄＢのオフセットを指示する。別の考え方によれば、「０」は、オフセットが必要とされないことを指示し、そして「１」は、所定の付加的な電力が必要とされることを指示する。
典型的なアプリケーションでは、４ないし１６の異なる電力オフセットレベルを定義するために２ないし４ビットが使用される。異なる電力レベル間のステップは、例えば、２、５又は１０ｄＢである。或いは又、電力レベル間のステップサイズは、非直線的に変化してもよい。
【００４８】
ベースステーション（ノードＢ）と、２つのユーザ装置ＵＥ１及びＵＥ２との間のデータパケットの送信を示す図３を参照して、特定の実施形態を以下に説明する。図３は、１つのベースステーションのみに関連したチャンネルを示しているが、複数のベースステーションが同時にユーザ装置ＵＥ１及び／又はＵＥ２との通信チャンネルを有することが明らかであろう。しかしながら、他のチャンネルは、明瞭化のために図示されていない。
【００４９】
多数のパケットがデータチャンネルＨＳＰＤＳＣＨを経て第１ユーザ装置ＵＥ１及び第２ユーザ装置ＵＥ２へ送信されるものとして示されている。送信を区分に分割する図３の垂直線は、高速ダウンリンクパケットアクセス送信時間間隔（ＨＳＰＤＡ  ＴＴＩ）を指示する。このＨＳＰＤＡ  ＴＴＩは、定義された数のスロットの集合である。即ち、高速ダウンリンクパケットアクセス送信時間間隔（ＴＴＩ）は、高速ダウンリンク共用チャンネル（ＨＳＤＳＣＨ）を経てユーザ装置とベースステーションとの間でデータを搬送するための周期を定義する。従って、論理的に、ＴＴＩは、データフレームの概念に対応すると思われる。図３の例では、８個のＴＴＩが示され、各ＴＴＩは、長さが３スロットである。
【００５０】
以下、高速混成自動繰り返し（ＨＡＲＱ）構成に基づいて確認が与えられると仮定する。又、いわゆるＮチャンネルＨＡＲＱも、いわゆるストップ・アンド・ウェイト(stop-and-wait)プロトコルと共に、高速ＨＡＲＱに使用されると仮定する。このストップ・アンド・ウェイトプロトコルは、受信ステーションのバッファ要求を減少するために使用される。
【００５１】
ＮチャンネルＨＡＲＱは、非同期送信をサポートする。従って、所与の送信の完了を待機する必要なく、異なるユーザを自由にスケジュールすることができる。しかしながら、受信ステーションは、パケットがどのＨＡＲＱプロセスに属するかを知る必要がある。この情報は、高速ダウンリンクパケットアクセス（ＨＳＤＰＡ）制御チャンネル（ＣＨ）、例えば、ＳＣＣＨを経て明確にシグナリングすることができる。例えば、３つのパケットが第１ユーザ装置ＵＥ１へ搬送された後に、２つのパケットが第２ユーザ装置ＵＥ２へ送信される。第１ユーザ装置ＵＥ１への送信は、このような場合に、２つのＴＴＩだけ遅延される。異なるユーザ装置へのデータパケットの処理時間は、ユーザ装置への連続的な送信を可能とするように定義されねばならない。
【００５２】
各パケットは、他のパケットの送信中に確認され、送信されるべきパケットがあるときにはダウンリンク（ＤＬ）チャンネルを常時占有状態に保持できるようにするのが好ましい。
図３において、アップリンク確認は、専用の物理的制御チャンネル（ＤＰＣＣＨ）を経て送信されるものとして示されている。矢印Ｒ１ないしＲ９は、異なるオペレーション間の種々の関係を示す。即ち、ＤＬ  ＤＰＣＨ、共用データ及び制御チャンネル（ＨＳ−ＰＤＳＣＨ及びＳＣＣＨ）送信、及び確認送信におけるポインタビット間の関係を示す。
【００５３】
より詳細には、二重線矢印Ｒ２、Ｒ５及びＲ９の各々は、各専用制御チャンネルにおいて所与のユーザ装置のアップリンクに対して実行されるクオリティ測定を示す。単一線矢印Ｒ１、Ｒ４及びＲ６は、ダウンリンクにおける共用制御チャンネルＳＣＣＨとポインタビットとの間の関係を示す。単一線矢印Ｒ３及びＲ６は、ダウンリンクデータチャンネルＨＳＰＤＳＣＨとアップリンクの確認との間の関係を示す。これら確認は、ＳＣＣＨを経て受け取られた情報、即ち測定の結果に基づいて調整された電力と共に送信される。
【００５４】
第１の間隔ＴＴＩ１の間に、ベースステーションは、ユーザ装置ＵＥ１にポインタビットを送信する。ポインタビットは、ユーザ装置ＵＥ１が次のＴＴＩ（ＴＴＩ２）の間にＨＳ−ＰＤＳＣＨ及びＳＣＣＨを経てデータ及び制御情報を受け取らねばならないことを指示する。又、ＴＴＩ１の間に、ベースステーションは、ユーザ装置ＵＥ１のアップリンクのクオリティを測定する。これらの関係は、関係矢印Ｒ１及びＲ２により各々示されている。
【００５５】
例えば、アップリンクのＳＩＲは、各スロットにおいてＤＰＣＣＨに送信される専用パイロット記号から測定することができる。このクオリティの測定に基づき、ベースステーションは、ＴＴＩ４の間に確認を送信するときに使用しなければならない電力レベルに関する情報を、ＴＴＩ２にユーザ装置ＵＥ１に与える。この関係が矢印Ｒ３により指示されている。電力レベル情報は、上述したように、電力オフセットとして与えることができる。この電力オフセット情報は、例えば、共用制御チャンネル（ＳＣＣＨ）において数ビットのフィールドとして与えられてもよい。
【００５６】
測定値は、長い時間周期にわたって平均化されるか、さもなければ処理されることに注意されたい。矢印Ｒ２は、送信に使用される電力オフセットが、その電力オフセットを送信する前に行われた測定に基づくものであることを単に示している。
電力レベル情報を受信した後に、ユーザ装置ＵＥ１は、ベースステーションからの情報に基づく電力レベルを使用して確認を送信する。確認は、肯定確認（図３のＡ）であるか又は否定確認（図３のＮ）である。
【００５７】
図３において、確認スロットの幾つかは、高レベルであるとして示され、それらの確認に対して増加送信電力が使用されることを示している。この増加電力は、スロット全体に適用されてもよいし、又はスロット内の確認ビットのみに適用されてもよい。又、この同じ増加電力を、他のスロットに使用してもよいが、これは、それら他のスロットが、確認と同じベースステーションのみへ送信された測定又はクオリティレポートのような他の情報を含む場合である。又、増加電力は、ＴＴＩ全体に適当されてもよいし、又は多数のＴＴＩに適用されてもよい。
【００５８】
関係Ｒ１ないしＲ３に加えて、図３は、ユーザ装置ＵＥ２に関連した第２組の関係Ｒ４ないしＲ９も示している。この場合に、確認は、否定（Ｎ）であり、それ故、メッセージを再送信するために第２ユーザ装置ＵＥ２のＤＬ  ＣＰＣＨチャンネルに新たなポインタビットが与えられる。
応答のための電力レベルをベースステーションにより適切に決定できるよう確保するために、アップリンクのクオリティ測定は、できるだけ遅くに行われるのが好ましい。図示されたように、例えば、矢印Ｒ２で示された測定に関連した情報は、次の送信時間間隔（ＴＴＩ２）に制御チャンネル（ＤＬＳＣＣＨ）を経て送信される。
【００５９】
この実施形態は、確認に特に適している。というのは、確認は、ダウンリンク送信に応答して送信されねばならず、且つ確認送信の信頼性は高くなければならないからである。
メッセージ特有の制御情報は、ユーザ装置による信頼性ある応答を確保するために異なるパラメータが必要であることを第１ステーションが決定したときだけシグナリングされる。
【００６０】
図４は、ユーザ装置が最強のベースステーション即ちベースステーションＢＳ２からの電力コマンドに従う更に別の実施形態を示す。別のベースステーションＢＳ１は、「電力オフセット１」メッセージをユーザ装置へ送信する。「電力オフセット１」メッセージを受信した後に、ユーザ装置の電力制御ファンクションは、上記他のベースステーションに従い始める。
【００６１】
ユーザ装置の電力制御は、所定の時間中にベースステーションＢＳ１からのメッセージに基づいてその送信電力をセットする。或いは又、ユーザ装置は、ベースステーションＢＳ１へ送信されるべき確認又は測定レポート等々の情報を有する限り、そのベースステーションからのコマンドに従ってもよい。又、ユーザ装置は、それが接続しているいずれかのベースステーションからの新たな電力オフセット情報を待機してもよい。即ち、「オフセット２」と示されたような新たなオフセットが以前のオフセットパラメータに置き換えられる。
【００６２】
ユーザ装置の電力制御が「通常」のソフトハンドオーバーモードに戻ると、ユーザ装置は、オフセットコマンド「オフセット１」を受信する前に使用していたレベルにその電力を戻す（通常は減少する）。即ち、ユーザ装置は、ユーザ装置との最良のアップリンクを有する最強のベースステーションＢＳ２からの電力制御コマンドに従い始める。これは、ベースステーションＢＳ１により通知された第１オフセット（即ち、図４ではオフセット２＝オフセット１）、又は所定の第２オフセット（オフセット２）に等しいオフセットパラメータを使用することにより行われる。第２オフセットは、上記第１オフセットの関数でもよい。又、第２オフセットは、最良のアップリンクを有するベースステーションＢＳ２により通知されてもよい。
【００６３】
更に別の実施形態では、ユーザ装置と接続している（例えば、ソフトハンドオーバー状態にある）各ベースステーションは、アップリンクのクオリティを連続的に測定することができる。通常の電力制御コマンドに加えて又はそれに代わって、各ベースステーションは、クオリティターゲットを満足するためにどれほど電力を変化（増加又は減少）させねばならないかを知らせる電力オフセット情報をユーザ装置へ送信する。この情報は、専用制御チャンネルを経て送信されるのが好ましい。通常のソフトハンドオーバーの場合に、ユーザ装置は、最低の送信電力を生じるオフセットを使用するか、又は通常の電力制御コマンドに従う。しかしながら、ユーザ装置が１つのベースステーションのみへ送信すべき何かを有するときには、ユーザ装置は、そのベースステーションにより送信される電力オフセットを使用する。オフセットは、周期的に送信されてもよく、例えば、各スロットにおいて電力制御コマンドとして、又はｎ個のスロットごとに一度、等々で送信されてもよい。又、オフセット情報は、必要なときに、例えば、オフセットの値があるスレッシュホールド値を越えたときに、送信されてもよい。
【００６４】
一実施形態では、ユーザ装置は、確認メッセージを送信するために強力なコードを使用するように強制されてもよい。例えば、ユーザ装置は、確認を繰り返し送信するように命令されてもよい。例えば、確認を一度だけ送信するのではなく、ユーザ装置は、確認を３回、５回又は１０回等々と送信するように命令されてもよい。一実施形態によれば、ユーザ装置は、確認を確実にデコードできるように、１つのスロットではなく、例えば、３つのスロットにおいて確認を送信するように命令される。
【００６５】
又、上述した送信パラメータ情報提供メカニズムは、確認以外のシグナリングファンクションに関連して使用されてもよい。応答メッセージは、例えば、測定レポート又は他のレポートであってもよい。ここに提案するシグナリングメカニズムは、ユーザ装置と通信する複数のベースステーションのあるベースステーションによりレポートが要求された場合に特に好都合である。このベースステーションは、特定のベースステーションに向う応答に対して使用されるべき電力オフセット及び／又は他のパラメータをユーザ装置に通知する。
【００６６】
応答シグナリングの少なくとも１つの特徴の上記調整は、電力レベル測定からの情報に基づくものである。又、調整は、２つのステーション間のインターフェイスに関連した他の情報に基づいてもよい。例えば、ベースステーションＢＳ１は、移動ステーションＭＳ１からの以前の応答の分析に基づいて、ある電力オフセットを要求してもよい。この分析が、ある数の応答が正しくなかったことを指示する場合には、信頼性を改善するためにオフセットを増加することができる。応答は、初期のＡＣＫでもよいし、又はユーザ装置から送信される他のデータ、例えば、スピーチパケットでもよい。
【００６７】
上述した解決策は、第１メッセージがユーザ装置からベースステーションへ送信される場合にも適用できることに注意されたい。このような場合、ユーザ装置は、ベースステーションからの応答に対してもつ必要性をベースステーションに通知することができる。
本発明の実施形態は、移動ステーションに関連して説明したが、他の適当な形式のユーザ装置にも適用できることが明らかであろう。
【００６８】
本発明の実施形態は、２つ以上のベースステーションと通信する移動ステーションに関連して説明したが、本発明は、２つのステーションのみが互いに通信する場合にも適用できることが明らかであろう。例えば、第２ステーションにより応答されるべきメッセージを送信する第１ステーションが、例えば、特定のパケットに応答するために使用されるべきコード及び／又は電力に関する情報をそのメッセージに挿入してもよい。
【００６９】
本明細書は、あるシステム特有の通信チャンネルの例を説明したが、本発明の実施形態は、これらの例に限定されるものではないことが明らかである。
又、応答は、例えば、共用制御チャンネル又はデータチャンネルが定義されたシステムにおいてそのようなチャンネルを経て送信されてもよい。又、特定の確認チャンネルが定義されてもよい。
データは、パケット形態であるとして説明した。本発明の別の実施形態では、データは、任意の適当なフォーマットで送信することができる。
【００７０】
更に、データパケットごとに接続のクオリティを測定し、及び／又は応答が要求されるたびにオフセット情報をユーザ装置に供給することが常に必要とされるのではない。むしろ、例えば、所定の間隔で、又は所定の事象（例えば、接続のクオリティが変化し、又はユーザ装置があるネットワークコントローラから別のネットワークコントローラへ再配置され、等々）に応答して、測定が行われ及び／又は情報が送信されてもよい。従って、ユーザ装置とベースステーションとの間の接続中にユーザ装置に対してオフセット情報が一度与えられれば充分である。
【００７１】
本発明の実施形態は、ＣＤＭＡシステムに関連して説明した。本発明は、時分割マルチアクセス、周波数分割マルチアクセス、又はスペース分割マルチアクセス、及びその混成を含むいかなる他のアクセス技術にも適用できる。
ベースステーションは、第三世代（３Ｇ）ユニバーサル移動テレコミュニケーションシステム（ＵＭＴＳ）に関連した規格のような幾つかの通信規格では、ノードＢと称されることが明らかである。しかしながら、本明細書では、明瞭化のために、ベースステーションという語を使用した。
【００７２】
上記問題に対する別の解決策によれば、専用の物理的チャンネル（ＤＰＣＨ）は、高速ダウンリンク共用チャンネル（ＨＳ−ＤＳＣＨ）のみに関連して使用される。即ち、ＤＰＤＣＨには他のデータは送信されない。従って、ＤＰＣＨの電力制御は、最良のベースステーションではなく、アクティブなＨＳ−ＤＳＣＨを経て送信する（アップリンク及びダウンリンクの両方において）ベースステーションに従う。アップリンクのＤＰＤＣＨを経て他のデータが搬送されない場合には、移動ステーションのアップリンク電力制御ファンクションは、アクティブな高速データベースステーションに従うことができる。このような状況では、電力オフセットに関する情報は、アップリンクについては必要とされない。というのは、電力制御ファンクションが電力を調整するからである。
【００７３】
又、以上、本発明の実施形態を説明したが、特許請求の範囲に規定された本発明の範囲から逸脱せずに、上記解決策に対し多数の変更や修正がなされ得ることに注意されたい。
【図１】
0005255473.tif 000002
【図２】
0005255473.tif 000003
【図３】
0005255473.tif 000004
【図４】
0005255473.tif 000005